(57)【要約】【課題】使用者の操作ミスを最小限度に止める炊飯器を提供する。【解決手段】  本体１に収納される内釜２と、本体１と内釜２の上部開口を覆う蓋体３と、内釜２を加熱する加熱手段４と、内釜２の温度を検出する温度検出手段６と、複数のコースを有した炊飯コースから好みのコースを選択するコースボタン８と炊飯を開始するための炊飯ボタン９を有した操作部７と、操作部７からの入力に基づいて、温度検出手段６の温度情報を検出し加熱手段４に供給する電力を制御する制御手段５とを備え、制御手段５は、前記炊飯コースにて白米を炊飯するコースが選択されている時のみ、炊飯ボタン９の押し替えを有効として、炊飯ボタン９を１回のみ押された時は前記選択されている白米を炊飯する制御で炊飯を開始し、特定時間内に炊飯ボタン９を連続して押すことで前記炊飯コースの中で白米に関する炊飯を行うコースに限定して選択を可能とし、選択した前記コースで自動に炊飯を開始するものである。【選択図】  図２
2020014746.tif 000002
【特許請求の範囲】
【請求項１】
本体と、
該本体に収納される内釜と、
前記本体と前記内釜の上部開口を覆う蓋体と、
前記内釜を加熱する加熱手段と、
前記内釜の温度を検出する温度検出手段と、
複数のコースを有した炊飯コースから好みのコースを選択するコースボタンと炊飯を開始するための炊飯ボタンを有した操作部と、
該操作部からの入力に基づいて、前記温度検出手段の温度情報を検出し前記加熱手段に供給する電力を制御する制御手段とを備え、
前記コースボタンが押される毎に前記複数の炊飯コースのうちの異なるコースが選択されるものであって、前記炊飯コースは白米を対象として複数の白米炊飯コースを含み、
該制御手段は、前記白米炊飯コースのいずれかが選択されている時は、前記炊飯ボタンが押された後の特定時間内に前記炊飯ボタンが再度押されると、白米炊飯コースの中でコースを異ならせて炊飯することを特徴とする炊飯器。
【請求項２】
前記炊飯コースのうちの白米炊飯コース以外では、前記炊飯ボタンが押されてもコースが選択されないように構成されており、前記炊飯ボタンが１回のみ押されて前記白米炊飯コースのいずれかが選択されて炊飯が開始され、特定時間内に前記炊飯ボタンを連続して押されることで前記炊飯コースの中で白米に関する炊飯を行うコースに限定して選択を可能とし、選択した前記コースで自動に炊飯を開始することを特徴とする請求項１記載の炊飯器。
【請求項３】
前記制御手段は、
前記炊飯ボタンを１回のみ押された時は白米を炊飯する制御で炊飯を開始し、前記炊飯ボタンが特定時間内に２回連続して押された時は前記炊飯コースの快速が選択され快速炊飯を行うことを特徴とする請求項１記載の炊飯器。
【請求項４】
白米炊飯コース以外として少なくとも炊込み或いはおこわであることを特徴とする請求項２記載の炊飯器。
【発明の詳細な説明】
【技術分野】
【０００１】
本発明は、炊飯器に係り、特に、使用者の使い勝手を向上した炊飯器に関するものである。
【背景技術】
【０００２】
従来、操作部の入力キーの数を減らすために、１つのキーを一定時間内に押す回数でメニューを選択する炊飯器が知られている。
【０００３】
特許文献１に示した炊飯器は、操作パネルに設けているキーは、選択したメニューや炊飯を取りやめるための取消キー、予約するための予約キー、メニューを選択するメニューキー、入力すると各々の目的に応じて加熱を開始するキー（保温、再加熱、おこげ、炊飯キー）が設けられている。そして、入力キーの数を減らす目的で、炊飯とおこげをひとつのキーの押し替えで入力を可能とした例が記載されている。
【先行技術文献】
【特許文献】
【０００４】
【特許文献１】特開２００３−３２５３３１号公報
【発明の概要】
【発明が解決しようとする課題】
【０００５】
しかしながら、入力キーの数を減らす目的でキーの押し替えを有効とした場合、押し替えの回数を間違える課題がある。
【０００６】
そのメニューが炊飯（加熱）後の形態が異なるメニューの場合、押し間違いで使用者の予想外の加熱が行われる課題がある。例えば、間違えてキーを二度押ししたことで、白米の炊飯を行うところおこげ加熱が行われ焦げめが付く課題が考えられる。献立によっては炊飯を再度行う必要がある。
【課題を解決するための手段】
【０００７】
本発明は上記の問題を解決するためになされたものであり、本体と、該本体に収納される内釜と、前記本体と前記内釜の上部開口を覆う蓋体と、前記内釜を加熱する加熱手段と、前記内釜の温度を検出する温度検出手段と、複数のコースを有した炊飯コースから好みのコースを選択するコースボタンと炊飯を開始するための炊飯ボタンを有した操作部と、該操作部からの入力に基づいて、前記温度検出手段の温度情報を検出し前記加熱手段に供給する電力を制御する制御手段とを備え、前記コースボタンが押される毎に前記複数の炊飯コースのうちの異なるコースが選択されるものであって、前記炊飯コースは白米を対象として複数の白米炊飯コースを含み、該制御手段は、前記白米炊飯コースのいずれかが選択されている時は、前記炊飯ボタンが押された後の特定時間内に前記炊飯ボタンが再度押されると、白米炊飯コースの中でコースを異ならせて炊飯するものである。
【０００８】
あるいは、本体と、該本体に収納される内釜と、前記本体と前記内釜の上部開口を覆う蓋体と、前記内釜を加熱する加熱手段と、前記内釜の温度を検出する温度検出手段と、複数のコースを有した炊飯コースから好みのコースを選択するコースボタンと炊飯を開始するための炊飯ボタンを有した操作部と、該操作部からの入力に基づいて、前記温度検出手段の温度情報を検出し前記加熱手段に供給する電力を制御する制御手段とを備え、該制御手段は、前記炊飯コースにて白米を炊飯するコースが選択されている時のみ、前記炊飯ボタンの押し替えを有効として、前記炊飯ボタンを１回のみ押された時は前記選択されている白米を炊飯する制御で炊飯を開始し、特定時間内に前記炊飯ボタンを連続して押すことで前記炊飯コースの中で白米に関する炊飯を行うコースに限定して選択を可能とし、選択した前記コースで自動に炊飯を開始するものである。
【発明の効果】
【０００９】
本発明によれば、ひとつのキーの押す回数で炊飯コースを異ならせる場合は、異なるコースで炊飯した結果が同等となるコースを組み合わせる事で、押す回数を間違えた場合でも、再炊飯を行う事無く、使用者の食事への悪影響を最低限にとどめる事が出来る。
【図面の簡単な説明】
【００１０】
【図１】一実施例における炊飯器の断面を示す説明図である。
【図２】一実施例における炊飯器の操作部を示す説明図である。
【発明を実施するための形態】
【００１１】
以下、本発明の一実施例について添付図面を用いて詳細に説明する。
【００１２】
図１の炊飯器の断面図において、本体１に着脱自在に内釜２が収納され、本体１には本体１と内釜２の上部開口を閉塞する蓋体３が開閉自在に設けられている。
【００１３】
また、本体１の内部には内釜２の底部の温度を検出する温度検出手段６と、内釜２を加熱する加熱手段４と、本体１に炊飯コースの設定や加熱を行うための設定を行う操作部７が設けられ、操作部７からの入力に基づいて、温度検出手段６の温度情報を検出し加熱手段４へ供給する電力を制御する制御手段５とが設けられている。
【００１４】
図２に操作部７を示す。操作部７には、炊飯コースを選択するコースボタン８、炊飯を開始する炊飯ボタン９、保温を開始する保温ボタン１０、操作の解除と炊飯の停止を行う切ボタン１１、炊飯コースの選択状態や、炊飯時間などを表示するための表示部１２が設けられている。
【００１５】
コースボタン８は設けられている炊飯コースから炊飯する好みのコースを選択し制御手段５へ入力するもので、ここでは炊飯コースには、「ご飯」、「快速」、「無洗米」、「炊込み」、「おこわ」の５つのコースが設けられている。コースボタン８が押される毎に、表示部１２の▲が、「ご飯」の下→「快速」の下→「無洗米」の下→「炊込み」の下→「おこわ」の下の順で変わり、「ご飯」、「快速」、「無洗米」、「炊込み」、「おこわ」のいずれかが選択されたことを表示する。炊飯ボタン９は炊飯コースから選択したコースの炊飯を開始するものである。炊飯が開始されると、表示部１２に「炊飯」が表示される（炊飯が開始される前は表示部には「炊飯」が表示されない）。
【００１６】
コースボタン８で「ご飯」「快速」「無洗米」が選択された場合は、いずれも、白米を炊くのに適切になるように加熱手段４へ供給する電力を制御するものである（「ご飯」コース、「快速」コース、「無洗米」コースを総称して「白米炊飯」コースと称する。また、同等となるコースを意味する。）。コースボタン８で「ご飯」が選択された場合は白米を標準的な時間で炊くように、コースボタン８で「快速」が選択された場合は基本的なシーケンスを同等に保ちつつも白米の炊飯時間短縮のために火加減を強くして炊くように、コースボタン８で「無洗米」が選択された場合は硬くなりがちな無洗米（白米）に対して精白米と同じ硬さに炊くよう時間を長くして、加熱手段４への電力供給シーケンスを制御する。例えば、「快速」コースは白米の通常炊飯の約半分以下の炊飯時間で炊き上げる快速炊飯である。   
一方、コースボタン８で「炊込み」が選択された場合は、白米に具材が加えられたときに適切となるように加熱手段４への電力供給シーケンスを制御する。また、コースボタン８で「おこわ」が選択された場合は、もち米に小豆が加えられたときに適切となるように加熱手段４への電力供給シーケンスを制御する（「炊込み」コースと「おこわ」コースは互いに異なるコースを意味し、また、「炊込み」コースと「おこわ」コースは、「白米炊飯」コースに対して異なるコースを意味する。）。   
「ご飯」が選択されている時は、炊飯ボタン９は押し替えが有効となり、特定時間内（例えば１秒以内）に押された回数で炊飯コースのコースを切り替えることが可能になっている。１回押しは炊飯コースで選択されている「ご飯」の炊飯を行う。また続けて２回押しされた時は「快速」が選択され自動に快速炊飯を開始する。
【００１７】
以上の構成において、炊飯コースの選択と炊飯を開始する手順について説明する。
【００１８】
初期状態として炊飯コースは「ご飯」が選択されている状態から、「快速」を選択して快速炊飯を行う場合の手順を２通り以下に説明する。
【００１９】
１つ目は、炊飯コースのコースを「快速」に変更してから快速炊飯を開始する方法である。手順は、炊飯コースを変更するためにコースボタン８を１回押して「快速」コースを選択した後に炊飯ボタン９を押す方法である。この場合には、選択した「快速」コースが記憶され、次回も続けて「快速」コースを使用したい場合は、炊飯ボタン９を押すだけでよい。この記憶された状態から通常の炊飯を行いたい場合は、コースボタン８を４回押して炊飯コースの「快速」から「ご飯」に選択し直す必要が有る。
【００２０】
２つ目は、炊飯ボタン９を特定時間内（例えば１秒以内）に２回続けて押す方法である。１回押すと表示部１２には、既に表示されている「ご飯」を選択している印と「炊飯」が点灯して炊飯を開始する表示を行い、続けて更に１回押すと炊飯コースの選択が「ご飯」から「快速」に変更され自動に快速炊飯が開始する。炊飯コースを示す「快速」の選択されている表示は炊飯後も継続し、残りご飯を保温している時も同様に継続して表示さ、切ボタン１１の入力があった時に今回の快速炊飯が行われる前の「ご飯」の選択状態に戻る。
【００２１】
炊飯ボタン９が２回続けて押された後に、さらに、炊飯ボタン９を特定時間内に２回続けて押すと、「快速」から「無洗米」に変更されて炊飯されるようにしても良い。そして、「無洗米」が選択されている時は、炊飯ボタン９を特定時間内に２回続けて押すと、「無洗米」から「ご飯」に変更されるのであって、「無洗米」から「炊込み」に変更されるのではなく、「無洗米」から「おこわ」に変更されるのでもない。すなわち、同等となるコースから、異なるコースには変更がなされない。
【００２２】
また、「炊込み」が選択されている時、炊飯ボタン９を特定時間内に２回続けて押されたとしても、そのまま「炊込み」が維持される。同様に、「おこわ」が選択されている時、炊飯ボタン９を特定時間内に２回続けて押されたとしても、そのまま「おこわ」が維持される。
【００２３】
炊飯ボタン９の押す回数を間違えた場合の影響は、１回押しの「ご飯」で炊飯を行うところ間違えて２回押しになり「快速」が選択されて炊飯を行うと予定より早く炊飯が終了し、選択を反対に間違えると「快速」のところ間違えて「ご飯」で炊飯を開始すると食事の時間が少し遅くなる可能性が発生する。しかし、白米のご飯として炊き上がるので食事を行うのに不具合を発生する事はない。
【００２４】
炊飯ボタン９の押す回数については、「ご飯」が選択されている状態で、１回押しで「ご飯」の炊飯、２回押しで「快速」、３回押しで「無洗米」が選択されても良い。無洗米の炊飯では、無洗米の計量を計量カップのカップ数で行った場合は白米より水の量をほんの少し多めにすることで標準的な硬さに炊き上がる。そのため、コース選択で「無洗米」と「ご飯」をどちらに間違えても炊き上がったご飯は概ね良好である。
【００２５】
上記した本実施例によれば、ひとつのキーの押す回数で炊飯コースを異ならせる場合は、異なるコースで炊飯した結果が同等となるコースを組み合わせる事で、押す回数を間違えた場合でも、再炊飯を行う事無く、使用者の食事への悪影響を最低限にとどめる事が出来る。
【符号の説明】
【００２６】
１  本体
２  内釜
３  蓋
４  加熱手段
５  制御手段
６  温度検出手段
７  操作部
８  コースボタン
９  炊飯ボタン
１０  保温ボタン
１１  切ボタン
１２  表示部
【図１】
2020014746.tif 000003
【図２】
2020014746.tif 000004